【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
シート（２）が載置される基盤（１０）と、載置されたシート（２）を基盤（１０）上に押し付けるための固定板（２０）と、裁断刃（３）を装着したスライダ（３０）と、該スライダ（３０）がスライド可能に取り付けられると共に前記固定板（２０）が取り付けられたレール（４０）と、該レール（４０）を押し下げて固定するロック部材（６０）と、を含んで構成された裁断機（１）であって、
前記ロック部材（６０）によって固定される前記レールの位置は、シート位置の微調整が可能な程度の隙間が前記基盤（１０）との間に形成される高さに設定されており、
前記スライダ（３０）を押し下げることで前記固定板（６０）を基盤（１０）上に押し付けるように構成されたことを特徴とする裁断機。
【請求項２】
前記スライダ（３０）は、前記レール（４０）に係合されてスライドする基台部（３１）と、該基台部（３１）との間に介装された弾性部材（３６）によって上方に付勢された状態で前記裁断刃（３）を保持する本体部（３３）と、を含んで構成され、
該本体部（３３）を押し下げることで前記固定板（６０）を基盤（１０）上に押し付けるように構成されたことを特徴とする請求項１に記載の裁断機。
【請求項３】
前記レール（４０）は、両端部に回動可能に設けられたリンクバー（４３）を介して前記基盤（１０）から離反させた位置に配設されると共に、弾性部材によって上方に向けて付勢されたことを特徴とする請求項1又は請求項２に記載の裁断機。
【請求項４】
前記ロック部材（６０）は、前記スライダ（３０）が前記レール（４０）の始端部に位置する際、前記基盤（１０）の上方０．２ｍｍ〜０，５ｍｍの高さで該レール（４０）を固定する第１の固定手段（６１’）と、前記スライダ（３０）の移動によって操作されて前記固定板（２０）を前記基盤（１０）上に圧接させる第２の固定手段（６９）とを有することを特徴とする請求項１〜請求項３のいずれか１つの請求項に記載の裁断機。
【手続補正２】
【補正対象書類名】明細書
【補正対象項目名】０００５
【補正方法】変更
【補正の内容】
【０００５】
上記課題を解決するために、本発明は、シートが載置される基盤と、載置されたシートを基盤上に押し付けるための固定板と、裁断刃を装着したスライダと、該スライダがスライド可能に取り付けられると共に前記固定板が取り付けられたレールと、該レールを押し下げて固定するロック部材と、を含んで構成された裁断機であって、前記ロック部材によって固定される前記レールの位置は、シート位置の微調整が可能な程度の隙間が前記基盤との間に形成される高さに設定されており、前記スライダを押し下げることで前記固定板を基盤上に押し付けるように構成されたことを特徴とするものである。
この場合、前記スライダは、前記レールに係合されてスライドする基台部と、該基台部との間に介装された弾性部材によって上方に付勢された状態で前記裁断刃を保持する本体部と、を含んで構成され、該本体部を押し下げることで前記固定板を基盤上に押し付けるように構成されたものであってもよい。
【手続補正３】
【補正対象書類名】明細書
【補正対象項目名】０００６
【補正方法】変更
【補正の内容】
【０００６】
また、前記レールは、両端部に回動可能に設けられたリンクバーを介して前記基盤から離反させた位置に配設されると共に、弾性部材によって上方に向けて付勢されたものであってもよい。
また、前記ロック部材は、前記スライダが前記レールの始端部に位置する際、前記基盤の上方０．２ｍｍ〜０，５ｍｍの高さで該レールを固定する第１の固定手段と、前記スライダの移動によって操作されて前記固定板を前記基盤上に圧接させる第２の固定手段とを有するものであってもよい。
【手続補正４】
【補正対象書類名】明細書
【補正対象項目名】０００７
【補正方法】変更
【補正の内容】
【０００７】
本発明に係る裁断機は、レールを押し下げてロック部材で固定することで、基盤との間に、シート位置の微調整が可能な程度の隙間が形成されるような高さにレールが固定されるので、大まかな位置合わせをしてロック部材を操作した後、基盤との間の僅かな隙間を利用して、更に精密な位置合わせを行うことができる。
これによって、固定板が基盤上に押し下げられる際の風圧によるシートのズレを、ロック部材の操作後に行う精密な位置合せによって、是正することができる。
請求項２に係る裁断機は、スライダの裁断刃が弾性部材によって上方に付勢された状態となっており、スライダに手圧を加えて操作すれば、シートの位置まで裁断刃を下降させることができるので、ロックを解除した状態で裁断するも可能となる。
【手続補正５】
【補正対象書類名】明細書
【補正対象項目名】０００８
【補正方法】変更
【補正の内容】
【０００８】
請求項３に係る裁断機は、ロック部材が解除されている時は、固定板を取り付けたレールが弾性部材によって上方に付勢された状態でリンクバーを介して基盤から離反させた位置に配設されるので、レールを押圧することで、固定板によってシートを基盤上に押圧することができる。
【手続補正６】
【補正対象書類名】明細書
【補正対象項目名】０００９
【補正方法】変更
【補正の内容】
【０００９】
ロック操作されている場合は、固定板と基盤との間の僅かな隙間を介してシートの位置調節を行ないながら、裁断途中で位置の微調整を行うことができる。この際、スライダを押圧したときのみ、その押圧力がレールに垂直方向に作用し、リンクバーによってレールは水平状態を維持しながら更に下降するので、固定板によってシートが基盤上にしっかり固定された状態となる。
また、レールに作用された垂直方向の力は水平方向に均一に作用されるので、スライダを押し下げた際の圧力がレールの一部のみに作用することによって、シートにズレが生ずるのを防止できる。
【手続補正７】
【補正対象書類名】明細書
【補正対象項目名】００１０
【補正方法】変更
【補正の内容】
【００１０】
請求項４に係る裁断機は、スライダがレールの始端部に位置する際は、先ず、基盤の上方０．２ｍｍ〜０，５ｍｍの高さでレールが固定されるようにしておき、スライダの移動によって固定板が基盤上に圧接されるようにしたので、大まかな位置合わせと、精密な位置合わせを段階的に行うことができる。
【手続補正８】
【補正対象書類名】明細書
【補正対象項目名】００１６
【補正方法】変更
【補正の内容】
【００１６】
この枢支軸１５の設けられている部位には、レール４０を支持するための支持体５０が嵌め込まれており、この支持体５０に設けられた縦溝５１の中をリンクバー４３が回動する。
一対のリンクバー４３は同一長さに設計されているので、リンクバー４３の回動によって、平行部材４４は平行状態を維持しながら上下方向に移動する。アーム部材４２内部の天面部には２本のリブからなるガイド部４６が設けられており、そのガイド部４６内に平行部材４４が収容されている。これによって、リンクバー４３の回転運動が平行部材４４の上下運動に変換され、平行部材４４に支持されたレール４０が水平状態を維持しながら昇降される（図５参照）。
【手続補正９】
【補正対象書類名】明細書
【補正対象項目名】００１８
【補正方法】変更
【補正の内容】
【００１８】
レール４０の下端部には、基盤１０上に載置されたシートを固定するための固定板２０が取り付けられている。
この固定板２０は、透明な合成樹脂製の部材によって構成されており、図３に示すように、裁断される側の端縁部２１のみを、不透明な色彩で着色している。スライダ３０は、固定板２０の端縁部２１に裁断刃３が位置するようにレール４０に取り付けられているので、着色された端縁部２１が裁断ラインと一致し、シート上の裁断位置を確認し易くすることができる。
【手続補正１０】
【補正対象書類名】明細書
【補正対象項目名】００２０
【補正方法】変更
【補正の内容】
【００２０】
裁断刃３が取り付けられる本体部３３は、基台部３１との間に介装された弾性部材３６によって上方に付勢されている。
本体部３３の側壁面３２には、円盤状の裁断刃３が刃面が壁面に接した状態で収容されている。この側壁面３２は、裁断刃３を収容する凹状の収容部と、着脱操作部３５の回転軸に設けられた係止部と係合される被係止部とが設けられた側面部材の側壁面として構成されたものであるが、この側面部材には、本体部３３及び蓋部３４とは異なる色彩が付されている。
【手続補正１１】
【補正対象書類名】明細書
【補正対象項目名】００２２
【補正方法】変更
【補正の内容】
【００２２】
裁断刃３の位置に他の部位とは異なる色のラインが表れており、その部位が固定板２０の裁断側の側縁に、位置するようにスライダ３０が配設されているので、固定板２０の側縁に沿って裁断されることが認識され易くなる。
これによって、裁断刃３の位置を誤認することによる裁断ミスを防止することができる。特に、透明な固定板２０の端縁部２１を、スライダ３０の側壁面３２の色彩と同一の色彩にて着色することによって、裁断ラインが直感的に理解されやすくなる。
【手続補正１２】
【補正対象書類名】明細書
【補正対象項目名】００２５
【補正方法】変更
【補正の内容】
【００２５】
さらに詳しくは、ロック部材６０は、微調整位置と固定位置の２段階でロックされる構造となっている。即ち、図９に示すように、ロック操作によって固定されるロック部６１の他に、スライダ３０の移動によってロック操作される第２のロック部６９が設けられている。たとえば、スライダ３０の底面に突状のロック操作部３９を設けることによって、スライダ３０の移動により第２のロック部６９が操作され、レール４０を更に下降させる方向へと押圧することができるようにしてもよい。
【手続補正１３】
【補正対象書類名】明細書
【補正対象項目名】００２６
【補正方法】変更
【補正の内容】
【００２６】
このように構成することで、スライダ３０をレール４０の始端部に位置させた状態でロックすることで、先ず、ロック部６１によって基盤１０の上方０．２ｍｍ〜０，５ｍｍの高さでレール４０が固定され、更に、スライダ３０の移動によって第２のロック部６９が操作されて固定板２０を基盤１０上に強固に圧接させることができる。
【手続補正１４】
【補正対象書類名】明細書
【補正対象項目名】００２８
【補正方法】変更
【補正の内容】
【００２８】
そして、図６に示すロック操作を行なう。これによって、レール４０は支持体５０による付勢力に抗して押し下げられる。この際、図５（ｂ）に示すように、レール４０は、基台１０との間のリンク機構によって水平状態を維持しながら下降する。
このリンク機構によって、レール４０に取り付けられた固定板２０には下方向の押圧力が均一に水平方向に作用されるので、基盤１０上のシートを均一の押圧力で固定することができる。
【手続補正１５】
【補正対象書類名】明細書
【補正対象項目名】００３３
【補正方法】変更
【補正の内容】
【００３３】
【図１】本発明の実施形態に係る裁断機を示す斜視図である。
【図２】上記裁断機の平面図である。
【図３】上記裁断機のレールに取り付けられたスライダを示す側面図であり、（ａ）は初期状態、（ｂ）はスライダを押し下げた状態を示す。
【図４】レールの構造を示す分解図である。
【図５】レールのリンク機構を示す説明図である。
【図６】ロック部材を示す正面図である。
【図７】上記ロック部材の機能を示す説明図である。
【図８】ロック部材を示す側面図である。
【図９】上記ロック部材の第１の固定部と第２の固定部の一態様を示す説明図である。
【図１０】スライダの変位を示す説明図である。
【図１１】従来の裁断機を示す斜視図である。
【手続補正１６】
【補正対象書類名】図面
【補正対象項目名】図３
【補正方法】変更
【補正の内容】
【図３】
2009196053.tif 000001
【手続補正１７】
【補正対象書類名】図面
【補正対象項目名】図７
【補正方法】変更
【補正の内容】
【図７】
2009196053.tif 000002
【手続補正１８】
【補正対象書類名】図面
【補正対象項目名】図１０
【補正方法】変更
【補正の内容】
【図１０】
2009196053.tif 000003